(57)【要約】【課題】切断箇所の再切断を回避することができるカッタ付きプリンタの記録紙の切断制御方法を提案すること。【解決手段】ロール紙１１上またはファンフォールド紙１２上の切断目標位置Ｍが切断位置Ｂに位置決めされて切断が行われると切断実行履歴が生成される。また、記録紙１１ａまたはファンフォールド紙１２が搬送されるまで、この切断実行履歴は記憶保持される。そして、新たなカット指令が発行されたときに切断実行履歴が記憶保持されている場合には、切断は行われない。切断された記録紙１１ａまたはファンフォールド紙１２が搬送されないでその切断箇所が切断位置Ｂに留まっている間は、切断実行履歴は記憶保持されているので、この間にカット指令が発行されても切断は行われない。よって、切断箇所の再切断が回避される。【選択図】図６
2010042535.tif 000002
【特許請求の範囲】
【請求項１】
長尺状の記録紙の切断を指示するカット指令が発行されると、
カッタによる切断位置を経由する紙搬送路に沿って前記記録紙を搬送して前記記録紙に予め設定されている切断目標位置を前記切断位置に位置決めし、または前記記録紙の搬送をせずに、
前記記録紙を前記切断位置で切断するとともに、切断実行履歴を生成し、
前記切断実行履歴を前記記録紙が移動されるまで記憶保持し、
新たなカット指令が発行されたときに前記切断実行履歴が記憶保持されている場合には、前記記録紙を切断しないことを特徴とするカッタ付きプリンタにおける記録紙の切断制御方法。
【請求項２】
請求項１に記載されている記録紙の切断制御方法において、
新たなカット指令が発行されたときに前記切断実行履歴が記憶保持されている場合には、前記新たなカット指令を無視することを特徴とする記録紙の切断制御方法。
【請求項３】
請求項１または２に記載されている記録紙の切断制御方法において、
前記記録紙の切断がおこなわれてからこの記録紙が移動されるまでの間に、電源をオフするための電源オフ動作を指示する電源オフ指令が発行されると、前記切断実行履歴を不揮発性メモリに書き込んだ後に前記電源オフ動作を行い、電源がオンになったときに前記不揮発性メモリから前記切断実行履歴を読み出して記憶保持することを特徴とする記録紙の切断制御方法。
【請求項４】
請求項１または２に記載されている記録紙の切断制御方法において、
前記記録紙の切断がおこなわれてからこの記録紙が移動されるまでの間に、電源をオフするための電源オフ動作を指示する電源オフ指令が発行されると、前記電源オフ動作を開始し、回路の電源電圧が降下している間に前記切断実行履歴を不揮発性メモリに書き込み、電源がオンになったときに前記不揮発性メモリから前記切断実行履歴を読み出して記憶保持することを特徴とする記録紙の切断制御方法。
【請求項５】
請求項１ないし４のうちのいずれかの項に記載の記録紙の切断制御方法おいて、
前記カット指令は、操作ボタンを手動操作することによって発行されることを特徴とする記録紙の切断制御方法。
【請求項６】
請求項１ないし５のうちのいずれかの項に記載の記憶紙の切断制御方法おいて、
前記カット指令は、外部機器からの切断を指示する切断制御指令によって発行されることを特徴とする記録紙の切断制御方法。
【請求項７】
請求項１ないし６のうちのいずれかの項に記載の切断制御方法によって、前記記録紙の切断を制御することを特徴とするカッタ付きプリンタ。
【発明の詳細な説明】
【技術分野】
【０００１】
本発明は、長尺状の記録紙上に予め設定されている切断目標位置を紙搬送路上のカッタによる切断位置に位置決めして切断を行うカッタ付きプリンタにおける記録紙の切断制御方法、および、カッタ付きプリンタに関する。
【背景技術】
【０００２】
カッタ付きプリンタは、例えば、特許文献１に記載されている。同文献に記載されているカッタ付きプリンタは、外部機器から印刷データが供給されると、長尺状の記録紙を印刷ヘッドによる印刷位置および切断機構による切断位置を経由する紙搬送路に沿って搬送し、印刷位置よりも上流の上流側検出位置において記録紙上にあるラベル先端やマークなどの位置合わせ基準となる部分を検出する検出動作を行う。また、位置合わせ基準の検出位置から印刷位置までの距離に基づいて記録紙を搬送して記録紙上に予め設定されている印刷開始目標位置を印刷位置に位置決めし、印刷を行う。そして、印刷が終了すると記録紙の切断を指示するカット指令が発行されるようになっており、カット指令が発行されると、印刷位置から切断位置までの距離に基づいて記録紙を搬送して記録紙上に予め設定されている切断目標位置を切断位置に位置決めし、切断を行う。
【特許文献１】特開平０７−２４６７３８公報
【発明の開示】
【発明が解決しようとする課題】
【０００３】
カッタ付きプリンタの中には、装置筐体に押しボタン式などの切断スイッチが設けられており、操作者が切断スイッチを操作することにより記録紙の切断を指示するカット指令を発行することができるものがある。切断スイッチによってカット指令が発行された場合にも、記録紙上の切断目標位置は切断位置に位置決めされ、しかる後に切断が行なわれる。
【０００４】
このようなカッタ付きプリンタでは、印刷データなどに含まれている切断を指示する切断制御指令などに基づいて発行されたカット指令による切断の直後に、操作者が切断スイッチを操作してカット指令を発行してしまうことがある。この場合には、切断スイッチによるカット指令によって、先の切断による切断箇所が再び切断位置に位置決めされて、切断される。すなわち、切断箇所の再切断が行われてしまう。切断箇所の再切断が行われると紙粉が発生するので、この紙粉が筐体内に蓄積したり、印刷ヘッドに付着したりして、カッタ付きプリンタに不具合を発生させるという問題がある。
【０００５】
本発明の課題は、このような点に鑑みて、切断箇所の再切断を回避することができる記録紙の切断制御方法、および、カッタ付きプリンタを提案することにある。
【課題を解決するための手段】
【０００６】
上記の課題を解決するために、本発明のカッタ付きプリンタにおける記録紙の切断制御方法は、長尺状の記録紙の切断を指示するカット指令が発行されると、カッタによる切断位置を経由する紙搬送路に沿って前記記録紙を搬送して前記記録紙に予め設定されている切断目標位置を前記切断位置に位置決めし、または前記記録紙の搬送をせずに、
前記記録紙を前記切断位置で切断するとともに、切断実行履歴を生成し、
前記切断実行履歴を前記記録紙が移動されるまで記憶保持し、
新たなカット指令が発行されたときに前記切断実行履歴が記憶保持されている場合には、前記記録紙を切断しない。
【０００７】
本発明によれば、カット指令により記録紙上の切断目標位置が紙搬送路上の切断位置に位置決めされて切断が行われると、または、カット指令が発行されたときの位置で記録紙の切断が行われると、切断実行履歴が生成され、記録紙が移動されるまでこの切断実行履歴は記憶保持される。そして、新たなカット指令が発行されたときに切断実行履歴が記憶保持されている場合には、切断は行われない。すなわち、切断された記録紙が移動されないでその切断箇所が切断位置に留まっている間は切断実行履歴が記憶保持されているので、この間にカット指令が発行されても切断は行われない。従って、例えば、印刷データに含まれている切断制御指令に基づいて発行されたカット指令による切断が行われた直後に、切断スイッチの操作に基づいてカット指令が発行された場合には、切断は行われない。また、切断スイッチの操作に基づいて発行されたカット指令による切断が行われた直後に、外部機器からの切断制御指令に基づいてカット指令が発行された場合などにも、切断は行われない。この結果、切断箇所が切断位置に位置決めされて再切断されることを回避できるので、再切断により発生する紙粉が筐体内に蓄積したり、印刷ヘッドに付着したりして、不具合を発生させることがない。ここで、記録紙が切断位置で切断された後に移動が行なわれると、切断位置への位置決め対象となる記録紙上の切断目標位置は、切断された切断目標位置から次の切断目標位置に移る。従って、移動が行われた後の時点でカット指令が発行された場合には、切断箇所とは異なる切断目標位置が切断位置に位置決めされて、切断される。よって、記録紙が切断箇所で再切断されることはない。ここで、移動には、紙交換や紙送り、印刷等により記録紙の位置が変ってしまった場合などが含まれる。
【０００８】
また、新たなカット指令が発行されたときに前記切断実行履歴が記憶保持されている場合には、前記新たなカット指令を無視することを特徴とする。この場合、簡単な方法で、記録紙を切断箇所で再切断しないようにすることができる。
【０００９】
ここで、カット指令に基づいて記録紙が切断された直後に操作者が電源をオフにした場合には、記録紙の切断箇所は切断位置に留まったままの状態になっている。このため、電源がオンになったときに操作者が切断スイッチを操作してカット指令が発行されると、このカット指令によって先の切断箇所が切断位置に位置決めされて再切断されてしまう。このような場合に備えて、電源が切断されている間も印刷実行履歴を記憶保持し続けるためには、前記記録紙の切断がおこなわれてからこの記録紙が移動されるまでの間に、電源をオフするための電源オフ動作を指示する電源オフ指令が発行されると、前記切断実行履歴を不揮発性メモリに書き込んだ後に前記電源オフ動作を行い、電源がオンになったときに前記不揮発性メモリから前記切断実行履歴を読み出して記憶保持することが望ましい。このようにすれば、電源が切断される前に記憶保持された切断実行履歴に基づいて、電源がオンになった直後に発行されたカット指令による切断箇所の再切断を回避できる。
【００１０】
また、電源が切断されている間も印刷実行履歴を記憶保持し続けるためには、前記記録紙の切断がおこなわれてからこの記録紙が移動されるまでの間に、電源をオフするための電源オフ動作を指示する電源オフ指令が発行されると、前記電源オフ動作を開始し、回路の電源電圧が降下している間に前記切断実行履歴を不揮発性メモリに書き込み、電源がオンになったときに前記不揮発性メモリから前記切断実行履歴を読み出して記憶保持することが望ましい。回路には静電容量成分が含まれているため、電源をオフしてから回路の駆動電圧以下に下降するまで、若干の時間の余裕があるため、この時間を活用して書き込む動作を行っている。このようにすれば、電源オフ動作が行われている間に切断実行履歴を不揮発性メモリに退避させるので、切断実行履歴を不揮発性メモリに退避させた後に電源オフ動作を開始する場合と比較して、電源オフ指令が発行されてから電源が切断されるまでの時間を短縮することができる。また、電源が切断される前に記憶保持された切断実行履歴に基づいて、電源がオンになった直後に発行されたカット指令による切断箇所の再切断を回避できる。
【００１１】
本発明において、前記カット指令は、操作ボタンを手動操作することによって発行されるものとすることができる。また、前記カット指令は、外部機器からの切断を指示する切断制御指令によって発行されるものとすることもできる。切断制御指令は外部機器から単独で供給される場合と、印刷データに含まれた状態で供給される場合もある。
【００１２】
次に、本発明は、上記の切断制御方法によって、前記記録紙の切断を制御することを特徴とするカッタ付きプリンタとすることができる。
【発明の効果】
【００１３】
本発明によれば、記録紙上の切断目標位置が紙搬送路上の切断位置に位置決めされて切断が行われると切断実行履歴が生成され、記録紙が移動されるまでこの切断実行履歴は記憶保持される。そして、新たなカット指令が発行されたときに切断実行履歴が記憶保持されている場合には、切断は行われない。すなわち、切断された記録紙が移動されないでその切断箇所が切断位置に留まっている間は切断実行履歴が記憶保持されているので、この間にカット指令が発行されても切断は行われない。従って、例えば、印刷データに含まれている切断制御指令に基づいて発行されたカット指令による切断が行われた直後に、切断スイッチの操作に基づいてカット指令が発行された場合には、切断は行われない。また、切断スイッチの操作に基づいて発行されたカット指令による切断が行われた直後に、外部機器からの切断制御指令に基づいてカット指令が発行された場合などにも、切断は行われない。この結果、切断箇所が切断位置に位置決めされて再切断されることを回避できるので、再切断により発生する紙粉が筐体内に蓄積したり、印刷ヘッドに付着したりして、不具合を発生させることがない。ここで、記録紙が切断位置で切断された後に移動が行なわれると、切断位置への位置決め対象となる記録紙上の切断目標位置は、切断された切断目標位置から次の切断目標位置に移る。従って、移動が行われた後の時点でカット指令が発行された場合には、切断箇所とは異なる切断目標位置が切断位置に位置決めされて、切断される。よって、記録紙が切断箇所で再切断されることはない。
【発明を実施するための最良の形態】
【００１４】
以下に、図面を参照して、本発明のカッタ付きプリンタの実施の形態を説明する。
【００１５】
（全体構成）
図１は本発明の実施の形態に係るカッタ付きプリンタの外観斜視図であり、図２はその開閉カバーを全開にした状態の外観斜視図である。
【００１６】
カッタ付きプリンタ１は全体としてほぼ直方体形状をしたプリンタ本体２と、このプリンタ本体２の前面に取り付けた開閉カバー３とを有している。プリンタ本体２の外装ケース２ａの前面には所定幅の記録紙排出口４が形成されている。記録紙排出口４の下側には排紙ガイド５が前方に突出しており、当該排紙ガイド５の側方には開閉レバー６が配置されている。外装ケース２ａにおける排紙ガイド５および開閉レバー６の下側には、ロール紙出し入れ用の矩形の開口部２ｂが形成されており、この開口部２ｂが開閉カバー３によって封鎖されている。記録紙排出口４の右上側には、プリンタ本体２に搭載されているオートカッタ７を動作させるための押しボタン式の切断スイッチ８が配置されている。
【００１７】
開閉レバー６を操作すると開閉カバー３のロックが解除される。排紙ガイド５を前方に引くと、図２に示すように、開閉カバー３が下端部を中心として前方にほぼ水平となるまで開く。開閉カバー３が開くと、プリンタ本体２の内部に形成されているロール紙収納部９が開放状態となる。同時に、吸引プラテン１０が開閉カバー３と一緒に移動してロール紙収納部９から記録紙排出口４に至る空間が開放状態となり、プリンタ前方からロール紙１１を簡単に装填できるようになっている。また、カッタ付きプリンタ１はファンフォールド紙１２を使用することが可能になっており、ファンフォールド紙１２は、プリンタ本体２の背面側に形成されている記録紙挿入口１３（図３参照）から、プリンタ本体２の内部に手差し挿入される。なお、図２ではカバーケース３ａおよび開閉レバー６を省略してある。
【００１８】
図３はカッタ付きプリンタ１の内部の概略構成を示す説明図である。カッタ付きプリンタ１の内部には、プリンタ本体フレーム１４における幅方向の中央部分にロール紙収納部９が形成されている。ロール紙収納部９にはロール紙１１がプリンタ幅方向に向いた横置き状態で収納される。ロール紙収納部９の後方には、ロール紙１１から繰り出される長尺状の記録紙１１ａを搬送するための繰り出しローラ１５が配置されている。
【００１９】
ロール紙収納部９の上側には、プリンタ本体フレーム１４の上端にヘッドユニットフレーム１６が水平に取り付けられている。ヘッドユニットフレーム１６には、インクジェットヘッド１７、このインクジェットヘッド１７を搭載しているキャリッジ１８、キャリッジ１８のプリンタ幅方向への移動をガイドするキャリッジガイド軸１９、キャリッジ１８をキャリッジガイド軸１９に沿って往復移動させるためのキャリッジモータ２０およびタイミングベルト２１を備えたキャリッジ搬送機構が配置されている。インクジェットヘッド１７は、インクノズル面１７ａが下向きになるようにキャリッジ１８に搭載されている。ヘッドユニットフレーム１６の前端位置には可動刃を下方に突出させて切断を行うオートカッタ７が配置されている。
【００２０】
インクジェットヘッド１７の下側には一定のギャップを開けてプリンタ幅方向に水平に延びる吸引プラテン１０が配置されている。吸引プラテン１０は直方体形状をしており、プラテン表面１０ａの所定領域には多数の吸引孔が形成されている。吸引プラテン１０は、不図示の吸引機構によってこれら吸引孔から空気を吸い込むことにより、プラテン表面１０ａ上を搬送される記録紙１１ａやファンフォールド紙１２を吸引する。
【００２１】
吸引プラテン１０の後側には送り出しローラ２２がプリンタ幅方向に水平に架け渡されており、送り出しローラ２２には所定幅の紙押さえローラ２３が所定の押圧力で押し付けられている。送り出しローラ２２は、プリンタ本体フレーム１４に搭載されている紙送りモータ２４によって駆動される。吸引プラテン１０における前端側の部位には前側紙押さえローラ２５が配置されている。前側紙押さえローラ２５は記録紙１１ａやファンフォールド紙１２の浮き上がりを防止するものであり、紙送りモータ２４の駆動力は伝達されていない。
【００２２】
吸引プラテン１０の前端には排紙ガイド５が取付けられている。吸引プラテン１０の前端におけるプリンタ本体フレーム１４およびヘッドユニットフレーム１６の間の部位は一定幅の隙間が開いており、この隙間が記録紙排出口４になっている。
【００２３】
吸引プラテン１０の下側には、ロール紙押さえレバー２６が後方に向かって斜め下方に延びるように取付けられている。ロール紙押さえレバー２６はバネ力によって下方に付勢されており、その先端部分に取り付けられているロール紙押さえローラ２７が繰り出しローラ１５に所定の押圧力で押し付けられている。
【００２４】
吸引プラテン１０の後端には下方に湾曲しているテンションガイド２８が取り付けられている。ロール紙収納部９に収納されているロール紙１１から繰り出される長尺状の記録紙１１ａは、繰り出しローラ１５およびテンションガイド２８を経由して上方に引き出された後に前方に湾曲するように引き出され、しかる後に、吸引プラテン１０の後端からインクジェットヘッド１７による印刷位置Ａおよびオートカッタ７による切断位置Ｂおよび記録紙排出口４を経由して水平に延びるロール紙搬送路Ｃに沿って搬送される。ここで、テンションガイド２８はバネ力によって上方に付勢されており、テンションガイド２８を通過した記録紙１１ａには、所定の張力が付与される。
【００２５】
テンションガイド２８の後方には後側紙押さえローラ２９が配置されている。後側紙押さえローラ２９の後方のプリンタ本体フレーム１４の部位には、プリンタ本体２の背面側からファンフォールド紙１２を受け入れるための記録紙挿入口１３が形成されている。また、プリンタ本体フレーム１４の記録紙挿入口１３が形成されている部位の外側には、ファンフォールド紙１２をこの記録紙挿入口１３まで導くための導入路３０を備えたファンフォールド紙ホルダ３１が取付けられている。
【００２６】
導入路３０から手差しで挿入されるファンフォールド紙１２は、記録紙挿入口１３および後側紙押さえローラ２９を経由するように挿入された後に、吸引プラテン１０の後端からインクジェットヘッド１７による印刷位置Ａおよびオートカッタ７による切断位置Ｂおよび記録紙排出口４を経由して水平に延びるファンフォールド紙搬送路Ｄに沿って搬送される。ファンフォールド紙搬送路Ｄは全体としてほぼ水平に延びている。
【００２７】
ロール紙搬送路Ｃとファンフォールド紙搬送路Ｄとは吸引プラテン１０の後端位置で合流しており、吸引プラテン１０の後端からインクジェットヘッド１７による印刷位置Ａおよびオートカッタ７による切断位置Ｂおよび記録紙排出口４を経由して延びている部分は共通する共通紙搬送路部分Ｅになっている。記録紙１１ａやファンフォールド紙１２の先端が共通紙搬送路部分Ｅに到達すると、記録紙１１ａやファンフォールド紙１２は、紙送りモータ２４と、これによって回転させられる送り出しローラ２２を備えている搬送手段によって共通紙搬送路部分Ｅに沿って搬送される。
【００２８】
ここで、記録紙挿入口１３にはファンフォールド紙１２の有無を検出するための紙挿入検出器３２が配置されている。紙挿入検出器３２は記録紙挿入口１３においてファンフォールド紙搬送路Ｄ内に突出している検出レバー３２ａを備えており、記録紙挿入口１３に進入したファンフォールド紙１２によって検出レバー３２ａがファンフォールド紙搬送路Ｄから退避させられることを利用して、ファンフォールド紙１２の有無を検出する。
【００２９】
共通紙搬送路部分Ｅの送り出しローラ２２よりも上流側の上流側検出位置Ｆには、記録紙１１ａやファンフォールド紙１２の有無、および、記録紙１１ａ上やファンフォールド紙１２上の位置あわせ基準を検出するための反射型フォトセンサ３３および透過型フォトセンサ３４が配置されている。図４は、一定の間隔でラベルＧが貼り付けられているラベル用紙であるファンフォールド紙１２を例にして、位置あわせ基準、印刷開始目標位置、切断目標位置などを模式的に示した説明図である。位置合わせ基準とは、記録紙１１ａ上やファンフォールド紙１２上の各印刷領域に対応して付されているブラックマークＨ、記録紙１１ａやファンフォールド紙１２の用紙先端Ｉ、ラベルＧが貼り付けられている記録紙１１ａやファンフォールド紙１２におけるラベル先端Ｊ、などである。反射型フォトセンサ３３は照射した検査光の反射率の変動を利用して、ブラックマークＨを位置合わせ基準として検出する。透過型フォトセンサ３４は照射した検査光の透過率の変動を利用して、記録紙１１ａやファンフォールド紙１２の用紙先端Ｉや、これらにラベルＧが貼り付けられていればラベル先端Ｊを位置合わせ基準として検出する。ここで、反射型フォトセンサ３３と透過型フォトセンサ３４は、それぞれ基板上に可変抵抗を備えており、出力する信号の出力レベルを調整可能になっている。
【００３０】
共通紙搬送路部分Ｅの印刷位置Ａよりも下流側の下流側検出位置Ｋには、記録紙１１ａやファンフォールド紙１２の有無を検出する紙排出検出器３５が配置されている。紙排出検出器３５は下流側検出位置Ｋにおいて共通紙搬送路部分Ｅ内に突出している検出レバー３５ａを備えており、下流側検出位置Ｋに記録紙１１ａやファンフォールド紙１２があると検出レバー３５ａが共通紙搬送路部分Ｅから退避させられることを利用して、記録紙１１ａやファンフォールド紙１２の有無を検出する。
【００３１】
新たなロール紙１１を使用する場合には、開閉カバー３を開いてロール紙収納部９を開状態にする。すると、開閉カバー３と一緒に、吸引プラテン１０、テンションガイド２８、送り出しローラ２２、前側紙押さえローラ２５、排紙ガイド５、ロール紙押さえレバー２６およびロール紙押さえローラ２７が移動して、ロール紙搬送路Ｃが開放状態になるので、開放状態になった空間を介して、記録紙１１ａが引き出された状態のロール紙１１をロール紙収納部９に投入する。しかる後に開閉カバー３を閉じると、吸引プラテン１０、テンションガイド２８、送り出しローラ２２、前側紙押さえローラ２５、排紙ガイド５、ロール紙押さえレバー２６およびロール紙押さえローラ２７が元の位置に復帰してロール紙搬送路Ｃが形成されるので、引き出されている記録紙１１ａが共通紙搬送路部分Ｅ上で印刷位置Ａを通過した状態にセットされる。
【００３２】
新たなファンフォールド紙１２を使用する場合には、導入路３０を介して記録紙挿入口１３からファンフォールド紙１２を手差し挿入する。手差し挿入されたファンフォールド紙１２の先端が紙挿入検出器３２によって検出された後に、共通紙搬送路部分Ｅに到達して透過型フォトセンサ３４によって検出されると、搬送手段による搬送が始まり、ファンフォールド紙１２は共通紙搬送路部分Ｅ上で印刷位置Ａを通過した状態にセットされる。
【００３３】
記録紙１１ａやファンフォールド紙１２が共通紙搬送路部分Ｅ上にセットされると、記録紙１１ａ上やファンフォールド紙１２上に予め設定されている印刷開始目標位置Ｌを印刷位置Ａに位置決めする頭出し動作が行われる。
【００３４】
すなわち、記録紙１１ａまたはファンフォールド紙１２が搬送されて、上流側検出位置Ｆで記録紙１１ａ上やファンフォールド紙１２上の位置合わせ基準が検出される。また、位置合わせ基準の検出時点から所定搬送量だけ記録紙を搬送することにより、印刷開始目標位置Ｌを印刷位置Ａに位置決めする。なお、印刷開始目標位置Ｌは、図４に示す例では、ラベル先端Ｊから所定余白だけ離れた位置に設定されている。
【００３５】
頭出し動作の後に外部機器から印刷の開始を指示する制御指令および印刷データが供給されると、印刷データの印刷が始まる。
【００３６】
ここで、印刷データの中にページの区切りを示す制御指令として切断を指示する切断制御指令が含まれている場合には、切断制御指令が解釈される毎に切断を指示するカット指令が発行される。カット指令が発行されると、記録紙１１ａ上やファンフォールド紙１２上に予め設定されている切断目標位置Ｍは切断位置Ｂに位置決めされ、しかる後にオートカッタ７による切断が行われる。また、印刷データの中に改行や改ページを示す紙搬送制御指令が含まれている場合には、紙搬送制御指令を解釈する毎に搬送を指示する搬送指令が発行される。搬送指令が発行されると、搬送手段によって記録紙１１ａやファンフォールド紙１２が搬送される。
【００３７】
印刷データに切断を指示する切断制御指令が含まれていない場合には、印刷データの印刷が終了した後などに操作者が切断スイッチ８を操作してカット指令を発行する。カット指令が発行されると、記録紙１１ａ上やファンフォールド紙１２上に予め設定されている切断目標位置Ｍを切断位置Ｂに位置決めされ、しかる後にオートカッタ７による切断が行なわれる。なお、切断目標位置Ｍは、図４に示す例では、ラベル間ギャップの中心に設定されている。
【００３８】
（制御系）
図５はカッタ付きプリンタ１の制御系を示す概略ブロック図である。カッタ付きプリンタ１の制御系は、ＣＰＵ、ＲＯＭ、ＲＡＭを備えた制御部４０を中心に構成されている。制御部４０には通信インターフェース４１を介してパーソナルコンピュータなどの外部機器から印刷を指示する制御指令および印刷データが供給されるようになっている。制御部４０の入力側には、紙挿入検出器３２、反射型フォトセンサ３３、透過型フォトセンサ３４、紙排出検出器３５が接続されている。制御部４０の出力側には、ヘッドドライバ４２、モータドライバ４３、４４を介して、インクジェットヘッド１７、キャリッジモータ２０および紙送りモータ２４が接続されている。また、制御部４０には、不揮発性メモリ４５が接続されている。
【００３９】
制御部４０は、位置決め手段４６、切断実行手段４７、記憶保持手段４８および切断無効化手段４９を備えている。
【００４０】
位置決め手段４６は、カット指令が発行されると、紙送りモータ２４と、これによって回転させられる送り出しローラ２２を備えている搬送手段を駆動制御することにより記録紙１１ａまたはファンフォールド紙１２を搬送し、ロール紙１１上またはファンフォールド紙１２上の切断目標位置Ｍを切断位置Ｂに位置決めする。
【００４１】
位置決め手段４６による位置決め動作は、記録紙１１ａまたはファンフォールド紙１２を搬送することにより上流側検出位置Ｆにおいて検出される位置合わせ基準に基づいて行われる。例えば、位置合わせ基準の検出時点から所定搬送量だけ記録紙１１ａまたはファンフォールド紙１２を搬送することにより切断目標位置Ｍを切断位置Ｂに位置決めする。或いは、位置合わせ基準の検出時点から紙送りモータ２４が駆動される毎に上流側検出位置Ｆからの切断目標位置Ｍの移動距離を更新しながら記憶保持し、カット指令が発行された時点の移動距離と上流側検出位置Ｆおよび切断位置Ｂとの距離との差分に基づく搬送量だけ記録紙１１ａまたはファンフォールド紙１２を搬送することにより、切断目標位置Ｍを切断位置Ｂに位置決めする。なお、ロール紙１１上またはファンフォールド紙１２上の切断目標位置Ｍが切断位置Ｂにある場合には、搬送を行わない。
【００４２】
切断実行手段４７は、位置決め手段４６が切断目標位置Ｍを切断位置Ｂに位置決めすると、オートカッタ７を駆動制御して記録紙を切断位置Ｂで切断する。また、切断を行ったことを示す切断実行履歴を生成する。
【００４３】
記憶保持手段４８は、生成された切断実行履歴を記録紙１１ａまたはファンフォールド紙１２が搬送されるまで記憶保持する。すなわち、記憶保持手段４８は切断実行履歴が生成されるとこの切断実行履歴を記憶保持し、この切断実行履歴を記憶保持している状態のときに紙送りモータ２４が駆動制御されて記録紙１１ａまたはファンフォールド紙１２が搬送されると、切断実行履歴を消去する。また、記憶保持手段４８は、切断がおこなわれて生成された切断実行履歴を記憶保持してから記録紙１１ａまたはファンフォールド紙１２が搬送されるまでの間に、電源をオフするための電源オフ動作を指示する電源オフ指令が発行された場合には、記憶保持している切断実行履歴を不揮発性メモリ４５に書き込んだ後に、電源オフ指令に基づく電源オフ動作を開始させる。さらに、電源がオンになったときに不揮発性メモリ４５から切断実行履歴を読み出して再び記憶保持する。
【００４４】
ここで、切断実行履歴の記憶保持状態はフラグ情報として管理されている。このフラグ情報は、切断実行履歴を記憶保持している間はフラグが立っている状態の「切断実行履歴あり」とされており、切断実行履歴が消去された後はフラグが立っていない状態の「切断実行履歴なし」とされている。また、切断実行履歴を不揮発性メモリ４５に書き込む場合にはフラグ情報が書き込まれ、不揮発性メモリ４５から切断実行履歴を読み出す場合にはフラグ情報が読み出される。
【００４５】
切断無効化手段４９は、カット指令が発行されたときに制御部４０に切断実行履歴が記憶保持されている場合には、カット指令に基づく切断を行わない。すなわち、カット指令が発行されたときにフラグ情報を参照し、このフラグ情報が「切断実行履歴あり」の場合には、位置決め手段４６による位置決め動作、切断実行手段４７による切断動作および切断実行履歴の生成動作が行われないように制御する。或いは、カット指令が発行されたときに制御部４０に切断実行履歴が記憶保持されている場合には、切断無効化手段４９はカット指令を無視する。
【００４６】
（記録紙の切断制御動作）
図６は、記録紙１１ａやファンフォールド紙１２の切断制御動作を示すフローチャートである。
【００４７】
前提として、共通紙搬送路部分Ｅ上に記録紙１１ａまたはファンフォールド紙１２が引き出されている状態で電源がオフにされているものとする。
【００４８】
電源がオンになると、記憶保持手段４８は不揮発性メモリ４５から切断実行履歴の記憶保持状態を示すフラグ情報を読み出して、制御部４０に記憶保持する（ステップＳＴ１）。
【００４９】
まず、制御部４０では、カット指令が発行されたか否かが確認される（ステップＳＴ２）。カット指令の発行が検出されると、切断実行履歴が記憶保持されているか否かを確認するためにフラグ情報が参照される（ステップＳＴ３）。ステップＳＴ２でカット指令の発行が発行されていない場合にはステップＳＴ６に移行する。
【００５０】
ステップＳＴ３において切断実行履歴が記憶保持されている場合、すなわち、フラグ情報が「切断実行履歴あり」の場合には、ステップＳＴ２のカット指令に基づく切断は行われない。より詳細には、切断無効化手段４９によって、位置決め手段４６の位置決め動作、切断実行手段４７の切断動作および切断実行履歴の生成動作が行われないように制御される（ステップＳＴ４）。
【００５１】
ここで、ステップＳＴ３において切断実行履歴が記憶保持されている場合とは、カット指令に基づいて記録紙１１ａまたはファンフォールド紙１２が切断された直後に操作者が電源をオフにした場合であり、記録紙１１ａまたはファンフォールド紙１２切断箇所が切断位置Ｂに留まったままの状態になっている場合である。このような場合に、操作者が切断スイッチ８を操作することによりカット指令が発行されると、或いは、外部機器からの新たな切断制御指令によりカット指令が発行されると、このカット指令に基づいて位置決め動作および切断動作が行なわれて先の切断箇所が再切断されてしまう。従って、切断実行履歴が記憶保持されている場合には、位置決め動作および切断動作を行わずに、切断箇所の再切断を回避する。
【００５２】
ステップＳＴ３においてフラグ情報が「切断実行履歴なし」の場合には、位置決め手段４６による位置決め動作、並びに、切断実行手段４７による切断動作および切断実行履歴の生成動作が行われる。また、生成された切断実行履歴は記憶保持手段４８によって記憶保持される（ステップＳＴ５）。すなわち、生成された切断実行履歴が記憶保持されることによりフラグ情報は「切断実行履歴なし」から「切断実行履歴あり」に設定され、その状態が維持される。
【００５３】
ここで、ステップＳＴ３において切断実行履歴が記憶保持されていない場合とは、記録紙１１ａまたはファンフォールド紙１２を切断した直後に操作者が電源をオフにしていない場合であり、記録紙１１ａまたはファンフォールド紙１２の切断箇所は共通紙搬送路部分Ｅ上で切断位置Ｂとは異なる位置に留まっている状態である。このような状態は、切断位置Ｂへの位置決めの対象となっている切断目標位置Ｍが未だ位置決めされていない状態なので、発行されたカット指令に基づいて、位置決め動作、切断動作、切断実行履歴の生成動作をおこなう。
【００５４】
次に、制御部４０では、搬送指令が発行されたか否かが確認される（ステップＳＴ６）。搬送指令が検出されると、記録紙１１ａまたはファンフォールド紙１２は制御部４０によって搬送される（ステップＳＴ７）。また、記録紙１１ａまたはファンフォールド紙１２が搬送されると、記録保持手段は切断実行履歴を消去する（ステップＳＴ８）。すなわち、切断実行履歴が記憶保持されていれば、フラグ情報は「切断実行履歴あり」から「切断実行履歴なし」に設定され、その状態が維持される。ステップＳＴ６でカット指令の発行が発行されていない場合にはステップＳＴ８に移行する。
【００５５】
ここで、ステップＳＴ７による搬送が記録紙１１ａまたはファンフォールド紙１２が切断位置Ｂで切断された直後のものであれば、切断位置Ｂへの位置決め対象となるロール紙１１上またはファンフォールド紙１２上の切断目標位置Ｍは、切断されている切断目標位置Ｍから次の切断目標位置Ｍに移る。従って、記録紙１１ａまたはファンフォールド紙１２が搬送された後の時点でカット指令が発行された場合には、切断箇所とは異なる切断目標位置Ｍが切断位置Ｂに位置決めされて、切断される。この結果、記録紙１１ａまたはファンフォールド紙１２が切断箇所で再切断されることはないので、切断実行履歴を消去する。
【００５６】
さらに、制御部４０では、電源オフ指令が発行されたか否かが確認される（ステップＳＴ９）。電源オフ指令が検出されると、記憶保持手段４８は、切断実行履歴の記憶保持状態を示すフラグ情報を不揮発性メモリ４５に書き込み、しかる後に、電源をオフにするための電源オフ動作を行う（ステップＳＴ１０）。この結果、電源は切断される。
【００５７】
ステップＳＴ９において電源オフ指令が発行されない場合には、ステップＳＴ２に移行して、制御部４０では、カット指令が発行されたか否かが確認される。
【００５８】
新たなステップＳＴ２においてカット指令の発行が検出されると、切断実行履歴が記憶保持されているか否かを確認するためにフラグ情報が参照される（ステップＳＴ３）。ステップＳＴ２でカット指令の発行が発行されていない場合にはステップＳＴ６に移行する。
【００５９】
ステップＳＴ３において切断実行履歴が記憶保持されている場合、すなわち、フラグ情報が「切断実行履歴あり」の場合には、このカット指令に基づく切断は行われない。より詳細には、切断無効化手段４９によって、位置決め手段４６の位置決め動作、切断実行手段４７の切断動作および切断実行履歴の生成動作が行われないように制御される（ステップＳＴ４）。
【００６０】
ここで、今回のステップＳＴ３において切断実行履歴が記憶保持されている場合とは、例えば、カット指令に基づいて記録紙１１ａまたはファンフォールド紙１２が切断された直後に、操作者が切断スイッチ８を操作してカット指令を発行した場合である。或いは、カット指令に基づいて記録紙１１ａまたはファンフォールド紙１２が切断された直後に、外部機器からの切断制御指令によりカット指令が発行された場合である。このような場合に、このカット指令に位置決め動作および切断動作を行うと、先の切断箇所が再切断されてしまう。従って、位置決め動作および切断動作を行わずに、切断箇所の再切断を回避する。
【００６１】
ステップＳＴ３においてフラグ情報が「切断実行履歴なし」の場合には、位置決め手段４６による位置決め動作、並びに、切断実行手段４７による切断動作および切断実行履歴の生成動作が行われる。また、生成された切断実行履歴は記憶保持手段４８によって記憶保持される（ステップＳＴ５）。すなわち、生成された切断実行履歴が記憶保持されることによりフラグ情報は「切断実行履歴なし」から「切断実行履歴あり」に設定され、その状態が維持される。
【００６２】
ここで、今回のステップＳＴ３において切断実行履歴が記憶保持されていない場合とは、記録紙１１ａまたはファンフォールド紙１２を切断した後に記録紙１１ａまたはファンフォールド紙１２が搬送されており、記録紙１１ａまたはファンフォールド紙１２の切断箇所は共通紙搬送路部分Ｅ上で切断位置Ｂとは異なる位置に留まっている状態である。このような状態は、切断位置Ｂへの位置決めの対象となっている切断目標位置Ｍが未だ切断位置Ｂに位置決めされていない状態なので、発行されたカット指令に基づいて、位置決め動作、切断動作、切断実行履歴の生成動作をおこなう。
【００６３】
次に、制御部４０では、搬送指令が発行された否かが確認される（ステップＳＴ６）。搬送指令が検出されると、記録紙１１ａまたはファンフォールド紙１２は制御部４０によって搬送される（ステップＳＴ７）。また、記録紙１１ａまたはファンフォールド紙１２が搬送されると、記録保持手段は切断実行履歴を消去する（ステップＳＴ８）。すなわち、切断実行履歴が記憶保持されていれば、フラグ情報は「切断実行履歴あり」から「切断実行履歴なし」に設定され、その状態が維持される。ステップＳＴ６でカット指令の発行が発行されていない場合にはステップＳＴ９に移行する。
【００６４】
ここで、今回のステップＳＴ７による搬送が、記録紙１１ａまたはファンフォールド紙１２が切断位置Ｂで切断された直後のものであれば、切断位置Ｂへの位置決め対象となるロール紙１１上またはファンフォールド紙１２上の切断目標位置Ｍは、切断された切断目標位置Ｍから次の切断目標位置Ｍに移る。従って、記録紙１１ａまたはファンフォールド紙１２が搬送された後の時点でカット指令が発行された場合には、切断箇所とは異なる切断目標位置Ｍが切断位置Ｂに位置決めされて、切断される。この結果、記録紙１１ａまたはファンフォールド紙１２が切断箇所で再切断されることはないので、切断実行履歴を消去する。
【００６５】
さらに、制御部４０では、電源オフ指令が発行されたか否かが確認される（ステップＳＴ９）。電源オフ指令が検出されるとステップＳＴ１０に移行して、電源が切断される。ステップＳＴ９で電源オフ指令が発行されない場合には、ステップＳＴ２に移行して、電源オフ指令が発行されるまで、ステップＳＴ３〜ステップＳＴ８が繰り返される。
【００６６】
以上、本形態によれば、ロール紙１１上またはファンフォールド紙１２上の切断目標位置Ｍが切断位置Ｂに位置決めされて切断が行われると切断実行履歴が生成され、記録紙１１ａまたはファンフォールド紙１２が搬送されるまでこの切断実行履歴は記憶保持される。そして、新たなカット指令が発行されたときに切断実行履歴が記憶保持されている場合には、切断は行われない。すなわち、切断された記録紙１１ａまたはファンフォールド紙１２が搬送されないで切断箇所が切断位置Ｂに留まっている間は切断実行履歴が記憶保持されているので、この間にカット指令が発行されても切断は行われない。この結果、新たなカット指令によって記録紙１１ａまたはファンフォールド紙１２の切断箇所が切断位置Ｂに位置決めされて再切断されることを回避できるので、再切断により発生する紙粉がプリンタ本体２内に蓄積したり、インクジェットヘッド１７に付着したりして、不具合を発生させることがない。
【００６７】
また、本例によれば、切断実行履歴が生成されてから記録紙１１ａまたはファンフォールド紙１２が搬送されるまでの間に、電源をオフするための電源オフ動作を指示する電源オフ指令が発行されると、切断実行履歴を不揮発性メモリ４５に書き込んだ後に電源オフ動作を行い、電源がオンになったときに不揮発性メモリ４５から切断実行履歴を読み出して記憶保持する。この結果、電源が切断されている間も切断実行履歴を記憶保持し続けることができるので、カット指令に基づいて記録紙１１ａまたはファンフォールド紙１２が切断された直後に操作者が電源をオフにした場合のように、記録紙１１ａまたはファンフォールド紙１２の切断箇所が切断位置Ｂに留まったままの状態になっていても、切断実行履歴に基づいて、電源がオンになった直後に発行されるカット指令によって切断箇所が再切断されてしまうことを回避できる。
【００６８】
（その他の実施の形態）
なお、記憶保持手段４８は、電源をオフするための電源オフ動作を指示する電源オフ指令が発行されると電源オフ動作を開始し、電源回路に含まれている整流用や電圧降下防止用のコンデンサなどの静電容量によって電源電圧が降下している間に、切断実行履歴を不揮発性メモリ４５に書き込むようにすることもできる。このようにすれば、電源オフ動作をしている間に切断実行履歴を不揮発性メモリ４５に退避させることができるので、切断実行履歴を不揮発性メモリ４５に退避させた後に電源オフ動作を開始する場合と比較して、電源オフ指令が発行されてから電源が切断されるまでの時間を短縮することができる。
【図面の簡単な説明】
【００６９】
【図１】本発明を適用したカッタ付きプリンタの外観斜視図である。
【図２】カッタ付きプリンタの開閉カバーを開けた状態を示す外観斜視図である。
【図３】カッタ付きプリンタの内部構造を示す縦断面図である。
【図４】位置あわせ基準、印刷開始目標位置、切断目標位置を示した説明図である。
【図５】カッタ付きプリンタの制御系を示す概略ブロック図である。
【図６】切断制御動作を示すフローチャートである。
【符号の説明】
【００７０】
１・カッタ付きプリンタ、２・プリンタ本体、２ａ・外装ケース、２ｂ・開口部、３・開閉カバー、３ａ・カバーケース、４・記録紙排出口、５・排紙ガイド、６・開閉レバー、７・オートカッタ、８・切断スイッチ、９・ロール紙収納部、１０・吸引プラテン、１１・ロール紙、１１ａ・記録紙、１２・ファンフォールド紙、１３・記録紙挿入口、１４・プリンタ本体フレーム、１５・繰り出しローラ、１６ヘッドユニットフレーム、１７・インクジェットヘッド、１７ａ・インクノズル面、１８・キャリッジ、１９・キャリッジガイド軸、２０・キャリッジモータ、２１・タイミングベルト、２２・送り出しローラ、２３・紙押さえローラ、２４・紙送りモータ、２５・前側紙押さえローラ、２６・ロール紙押さえレバー、２７・ロール紙押さえローラ、２８・テンションガイド、２９・後側紙押さえローラ、３０・導入路、３１・ファンフォールド紙ホルダ、３２・紙挿入検出器、３３・反射型フォトセンサ、３４・透過型フォトセンサ、３５・紙排出検出器、４０・制御部、４１・通信インターフェース、４２・４３・４４・ドライバ、４５・不揮発性メモリ、４６・位置決め手段、４７・切断実行手段、４８・記憶保持手段、４９・切断無効化手段、Ａ・印刷位置、Ｂ・切断位置、Ｃ・ロール紙搬送路、Ｄ・ファンフォールド紙搬送路、Ｅ・共通紙搬送路部分、Ｆ・上流側検出位置、Ｇ・ラベル、Ｈ・ブラックマーク、Ｉ・用紙先端、Ｊ・ラベル先端、Ｋ・下流側検出位置、Ｌ・印刷開始目標位置、Ｍ・切断目標位置
【図１】
2010042535.tif 000003
【図２】
2010042535.tif 000004
【図３】
2010042535.tif 000005
【図４】
2010042535.tif 000006
【図５】
2010042535.tif 000007
【図６】
2010042535.tif 000008